(57)【特許請求の範囲】
【請求項１】
第１の構成体と、前記第１の構成体に対して開いた状態と前記第１の構成体に対して閉じた状態との間で開閉動作する第２の構成体とを備える店員又は客がオーダーを行うための通信端末を覆うカバーユニットであって、
前記第２の構成体を開いた状態で外側に露出される前記第１の構成体及び前記第２の構成体の表面側に取り付けられる第１のカバーと、
前記第２の構成体を開いた状態で前記表面側と反対側である前記第１の構成体及び前記第２の構成体の裏面側に取り付けられる第２のカバーと、
を具備し、
前記第１のカバーは、
前記カバーユニットを前記通信端末に取り付けた際に、前記第１の構成体の前記表面に設けられる表示部と対応する位置に配置される表示部用窓と、
前記カバーユニットを前記通信端末に取り付けた際に、前記第２の構成体の前記表面に設けられる操作ボタンユニットと対応する位置に配置される操作ボタンユニット用窓と、
を備えることを特徴とするカバーユニット。
【請求項２】
前記操作ボタンユニット又は前記表示部での操作により、店員が個々に携帯してオーダーを行う店員用注文モードと、卓上で客がオーダーを行う客用注文モードとの間でアプリケーションを切り替えるアプリケーション切替え手段を備える前記通信端末を覆うことを特徴とする請求項１のカバーユニット。
【請求項３】
店員が個々に携帯してオーダーを行う店員用注文モードと、卓上で客がオーダーを行う客用注文モードとの間でアプリケーションを切り替えるアプリケーション切替え手段と、少なくとも前記客用注文モードで、前記通信端末のエラー状態を警告する警告手段と、を備える前記通信端末を覆うことを特徴とする請求項１のカバーユニット。
【請求項４】
前記通信端末のエラー状態を警告する際に点灯するＬＥＤを前記警告手段として備える前記通信端末を覆い、
前記第１のカバー、前記第２のカバー及び前記第１のカバーと前記第２のカバーとの境界部のいずれかには、前記ＬＥＤと対応する位置に配置されるＬＥＤ用切欠き部が設けられていることを特徴とする請求項３のカバーユニット。
【請求項５】
バッテリー装着部を備える前記通信端末を覆い、
前記第１のカバー、前記第２のカバー及び前記第１のカバーと前記第２のカバーとの境界部のいずれかには、前記バッテリー装着部と対応する位置に配置されるバッテリー交換用窓が設けられていることを特徴とする請求項１のカバーユニット。
【請求項６】
店員が個々に携帯してオーダーを行う店員用注文モードと、卓上で客がオーダーを行う客用注文モードとの間でアプリケーションを切り替えるアプリケーション切替え手段を備え、前記客用注文モードの際には、前記表示部をタッチすることにより電源が入り、客が使用しない状態では自動的に電源が切れる前記通信端末を覆うことを特徴とする請求項１のカバーユニット。
【発明の詳細な説明】
【技術分野】
【０００１】
本発明は、例えばレストラン等の飲食店の卓上で客がオーダーを行う際に使用する通信装置のカバーユニットに関する。
【背景技術】
【０００２】
近年、レストラン等の飲食店で客の注文を正確かつ迅速に調理人に伝達するための注文管理システムが用いられている。この注文管理システムでは、注文データの入力に店員が個々に携帯するハンディターミナルが用いられている。入力された注文データは、天井などに設置されてハンディターミナルとの無線通信を可能とする無線通信ユニットに送られる。そして、無線通信ユニットからデータが、注文メニュー品目をキッチンの調理人に指示するためのキッチンプリンタ、チェックアウトカウンタに設置される会計装置であるＰＯＳ（Ｐｏｉｎｔ  ｏｆ  Ｓａｌｅｓ：販売時点管理）端末に送られる。
【０００３】
また、オペレーションの効率化、人件費の削減等の観点から、客が自らオーダーを行うことができる客用注文端末がそれぞれの卓上に備えられている場合がある。このような客用注文端末は、ハンディターミナルと同様に、無線通信ユニットと無線通信可能となっていて、客用注文端末に入力された注文データは無線通信ユニットに送信される。
【０００４】
特許文献１には、客用注文端末を用いた注文処理システムが開示されている。
【０００５】
特許文献２には、ハンディターミナル及び客用注文端末の両方を用いた注文管理システムが開示されている。この注文管理システムでは、客数等の店内の状況に応じてハンディターミナルと客用注文端末とを使い分けている。
【先行技術文献】
【特許文献】
【０００６】
【特許文献１】特開２００４−２４０６３０号公報
【特許文献２】特開２００４−１３２５４号公報
【発明の概要】
【発明が解決しようとする課題】
【０００７】
しかし、店内の状況に応じてハンディターミナルと客用注文端末を使用する場合、ハンディターミナルと客用注文端末を別個に製作する必要がある。このため、客用注文端末の製作に別途コストが必要となる。また、客用端末を卓上に設置する際に、電源工事、ＬＡＮ工事が必要となり、これらの工事に手間及びコストがかかってしまう。
【０００８】
本発明は上記課題に着目してなされたものであり、その目的とするところは、低コストで容易に導入可能な客がオーダーを行うための通信装置のカバーユニットを提供することにある。
【課題を解決するための手段】
【０００９】
上記目的を達成するため、本発明のある態様では、第１の構成体と、前記第１の構成体に対して開いた状態と前記第１の構成体に対して閉じた状態との間で開閉動作する第２の構成体とを備える店員又は客がオーダーを行うための通信端末を覆うカバーユニットであって、前記第２の構成体を開いた状態で外側に露出される前記第１の構成体及び前記第２の構成体の表面側に取り付けられる第１のカバーと、前記第２の構成体を開いた状態で前記表面側と反対側である前記第１の構成体及び前記第２の構成体の裏面側に取り付けられる第２のカバーと、を備え、前記第１のカバーは、前記カバーユニットを前記通信端末に取り付けた際に、前記第１の構成体の前記表面に設けられる表示部と対応する位置に配置される表示部用窓と、前記カバーユニットを前記通信端末に取り付けた際に、前記第２の構成体の前記表面に設けられる操作ボタンユニットと対応する位置に配置される操作ボタンユニット用窓と、を備えるカバーユニットを提供する。
【発明の効果】
【００１０】
本発明によれば、低コストで容易に導入可能な客がオーダーを行うための通信装置のカバーユニットを提供することができる。
【図面の簡単な説明】
【００１１】
【図１Ａ】本発明の第１の実施形態のオーダーエントリーシステムの概略図。
【図１Ｂ】第１の実施形態のオーダーエントリーシステムの通信装置が卓上に配置された状態を示す斜視図。
【図２】第１の実施形態のハンディターミナルの第２の構成体を開いた状態の表面側から見た斜視図。
【図３】第１の実施形態のハンディターミナルの第２の構成体を閉じた状態の第２の構成体側から見た斜視図。
【図４Ａ】第１の実施形態のハンディターミナルの第２の構成体を開いた状態の裏面を示す平面図。
【図４Ｂ】第１の実施形態のハンディターミナルの制御システムを示すブロック図。
【図５】第１の実施形態の通信装置の表面側から見た斜視図。
【図６】第１の実施形態の通信装置の裏面の平面図。
【図７】第１の実施形態の通信装置の第１のカバーの表面側から見た斜視図。
【図８】第１の実施形態の通信装置の第１のカバーの裏面の平面図。
【図９】第１の実施形態の通信装置の第２のカバーの裏面側から見た斜視図。
【図１０】第１の実施形態の変形例の通信装置の表面側から見た斜視図。
【発明を実施するための形態】
【００１２】
本発明の第１の実施形態について図１Ａ乃至図９を参照して説明する。
【００１３】
図１Ａ及び図１Ｂは、例えば、レストラン等の飲食店において使用される本実施形態の注文管理システムであるオーダーエントリーシステム１を示す図である。図１Ａに示すように、オーダーエントリーシステム１は、店員又は客がオーダーを行う送信端末である複数のハンディターミナル３と、天井などに設置されてハンディターミナル３との無線通信を可能とする無線通信ユニット４と、注文メニュー品目をキッチンの調理人に指示するための調理指示伝票（図示せず）を印字発行するキッチンプリンタ５と、チェックアウトカウンタに設置される会計装置であるＰＯＳ（Ｐｏｉｎｔ  ｏｆ  Ｓａｌｅｓ：販売時点管理）端末６と、システム全体を制御する注文管理制御装置であるコントロールステーション７とを備えている。無線通信ユニット４、キッチンプリンタ５及びＰＯＳ端末６は、通信回線８によってコントロールステーション７に接続されている。なお、無線通信ユニット４とキッチンプリンタ５との台数はいずれも任意である。
【００１４】
一方、図１Ｂに示すように、店内のそれぞれの卓１００上には、ハンディターミナル３を内蔵した通信装置３０が配置されている。通信装置３０は、置き台１０１等の上に着脱可能に取り付けられている。図１Ａに示すように、通信装置３０はハンディターミナル３を備えるため、無線通信ユニット４と無線通信が可能となっている。このため、客は、通信装置３０を用いて自らオーダーを行うことが可能となっている。
【００１５】
図２乃至図４Ａは、ハンディターミナル３を示す図である。図２に示すように、ハンディターミナル３は、図２で左側に配置される略直方体状の第１の構成体１１と、図２で右側に配置される略直方体状の第２の構成体１２とを備える。第２の構成体１２は、ヒンジ等の止め具１８を介して第１の構成体１１に回動可能に連結されている。このため、第２の構成体１２は、第１の構成体１１対して第２の構成体１２を閉じた図３に示す状態と、第１の構成体１１に対して第２の構成体１２を開いた図２に示す状態との間で、第１の構成体１１に対して開閉動作する。
【００１６】
図２に示すように、第２の構成体を開いた状態で外部に露出される第１の構成体１１の露出面（表面）１１Ａには、メニュー等が表示される表示部１５が設けられている。表示部１５はタッチパネル形式であり、表示部１５をタッチすることにより注文データの入力、データの送信等が可能となっている。また、第２の構成体を開いた状態で外部に露出される第２の構成体１２の露出面（表面）１２Ａには、複数の操作ボタン１６Ａから構成される操作ボタンユニット１６が設けられている。
【００１７】
図４Ｂは、ハンディターミナル３に内蔵されたハンディターミナル３の制御システムを示す図である。図４Ｂに示すように、操作ボタンユニット１６は、ボタン操作検出手段７１に接続されている。表示部１５は、アプリケーション切替え手段７３及び後述する表示部操作検出手段７７に接続されている。ボタン操作検出手段７１、表示部操作検出手段７７及びアプリケーション切替え手段７３は、システム全体を制御するコントローラ７０に接続されている。ボタン操作検出手段７１は、操作ボタンユニット１６の操作を検出する。アプリケーション切替え手段７３は、店員が個々に携帯してオーダーを行う店員用注文モードと、卓上で客がオーダーを行う客用注文モードとの間でハンディターミナル３のアプリケーションを切り替える。アプリケーション切替え手段７３の操作時には、例えば予め設定されたいずれかの切替えボタンを押す等の操作ボタンユニット１６の操作を行う。操作ボタンユニット１６での入力は、ボタン操作検出手段７１で検出され、コントローラ７０に送られる。ボタン操作検出手段７１からの入力に基づいて、コントローラ７０はアプリケーション切替え手段７３にアプリケーション切替え命令の制御信号を送る。コントローラ７０からのアプリケーション切替えの制御信号に基づいて、アプリケーション切替え手段７３はハンディターミナル３のアプリケーションを切り替える。ハンディターミナル３のアプリケーションが切り替わることにより、店員用の表示内容と客用の表示内容との間で表示部１５の表示内容が切り替わる。
【００１８】
図２に示すように、第１の構成体１１の図２で左側の側面１１Ｂには、電源スイッチ２１が設けられている。店員用注文モードでは、店員が電源スイッチ２１を押すことにより、ハンディターミナル３に電源が入る。一方、客用注文モードでは、電源スイッチ２１を押すのではなく、客が表示部１５をタッチすることにより、ハンディターミナル３の電源が入る。また、客が使用していない際には、ハンディターミナル３の電源が自動的に切れる。ハンディターミナル３の電源がＯＦＦの際、表示部１５は何も表示されていない状態となっている。
【００１９】
図２に示すように、第１の構成体１１の表示部１５が設けられる面（表面）１１Ａと図２で下側の側面１１Ｃとの境界部には、ＬＥＤ２３が設けられている。図４Ｂに示すように、ＬＥＤ２３は、ＬＥＤ点灯手段７５に接続されている。ＬＥＤ点灯手段７５はコントローラ７０に接続されている。客用注文モードでは、例えば無線通信ユニット４（図１Ａ参照）にデータ送信指令を行う表示部１５の送信ボタン（図示しない）を客が押していない状態等のエラー状態が、表示部操作検出手段７７により検出され、コントローラ７０に送られる。コントローラ７０は、表示部操作検出手段７７からの入力に基づいて、ＬＥＤ点灯命令をＬＥＤ点灯手段７５に送る。これにより、ＬＥＤ２３が点灯する。すなわち、ＬＥＤ２３がハンディターミナル３のエラー状態を確認する警告手段となっている。一方、店員用注文モードでは、ＬＥＤ２３は客用注文モードと同様に用いられてもよく、その他の目的で用いられてもよい。
【００２０】
図４Ａに示すように、第１の構成体１１の裏面、すなわち表示部１５が設けられる面１１Ａと反対側の面１１Ｄには、バッテリー装着部２５が設けられている。
【００２１】
図５及び図６は、客用注文モードのハンディターミナル３を内蔵した通信装置３０を示す図である。図５に示すように、通信装置３０は、第２の構成体を開いた状態のハンディターミナル３と、金属等の硬質な部材から形成される第１のカバー（表カバー）３１、第２のカバー（裏カバー）３２とを備える。第１のカバー３１は、ハンディターミナル３の第２の構成体１２を開いた状態で露出される表面側からハンディターミナル３に取り付けられる。第２のカバー３２は、第２の構成体１２を開いた状態で露出される側と反対側の裏面側からハンディターミナル３に取り付けられる。第１のカバー３１及び第２のカバー３２をハンディターミナル３に取り付けることにより、ハンディターミナル３の表面側が第１のカバー３１で覆われ、裏面側が第２のカバー３２で覆われる。この際、第１のカバー３１及び第２のカバー３２によりハンディターミナル３の第２の構成体１２の開閉動作が規制され、第２の構成体１２が第１の構成体１１に対して開いた状態が保持される。
【００２２】
図７及び図８は第１のカバー３１の構成を示す図である。図７に示すように、第１のカバー３１は、第２の構成体１２を開いた状態のハンディターミナル３の表面側全体を覆う形状に形成され、正面パネル３５と、正面パネル３５の周囲の４つの側壁３６Ａ〜３６Ｄとを有する。第１のカバー３１の正面パネル３５には、表示部用窓４１と、操作ボタンユニット用窓４２とが、正面パネル３５を貫通して設けられている。図５に示すように、表示部用窓４１は、ハンディターミナル３に第１のカバー３１及び第２のカバー３２を取り付けた際に、表示部１５と対応する位置に配置される。同様に、操作ボタンユニット用窓４２は、ハンディターミナル３に第１のカバー３１及び第２のカバー３２を取り付けた際に、操作ボタンユニット１６と対応する位置に配置される。また、表示部用窓４１と操作ボタンユニット用窓４２との間の仕切り壁と対応する位置に、止め具１８が配置される。
【００２３】
図７に示すように、第１のカバー３１の正面パネル３５と図７で下側の側壁３６Ａとの境界部分には、ＬＥＤ用切欠き部４５が設けられている。図５に示すように、ＬＥＤ用切欠き部４５は、ハンディターミナル３に第１のカバー３１及び第２のカバー３２を取り付けた際に、ＬＥＤ２３と対応する位置に配置される。ＬＥＤ用切欠き部４５を設けることにより、ハンディターミナル３に第１のカバー３１及び第２のカバー３２を取り付けた際でも、ＬＥＤ用切欠き部４５からＬＥＤ２３の点灯を確認可能となっている。
【００２４】
図８に示すように、第１のカバー３１の正面パネル３５の裏面（下面）には、４つのねじ穴４６が設けられている。
【００２５】
図９は、第２のカバー３２の構成を示す図である。図９に示すように、第２のカバー３２は、第２の構成体１２を開いた状態のハンディターミナル３の裏面側全体を覆う形状に形成され、底面パネル５１と、底面パネル５１の周囲の４つの側壁５２Ａ〜５２Ｄとを有する。第２のカバー３２の底面パネル５１には、バッテリー交換用窓５５が設けられている。図６に示すように、バッテリー交換用窓５５は、ハンディターミナル３に第１のカバー３１及び第２のカバー３２を取り付けた際に、バッテリー装着部２５と対応する位置に配置される。
【００２６】
図９に示すように、第２のカバー３２の底面パネル５１には、４つの貫通孔５７が設けられている。それぞれの貫通孔５７は、第１のカバー３１のねじ穴４６と対応する位置に配置されている。ハンディターミナル３に第１のカバー３１及び第２のカバー３２を取り付ける際には、図６に示すように、ハンディターミナル３を第１のカバー３１と第２のカバー３２との間に配置した状態で、４つのねじ５９を第２のカバー３２の貫通孔５７に挿通し、第１のカバー３１のねじ穴４６に挿入する。ねじ５９の雄ねじ部（図示しない）がねじ穴４６と螺合することにより、第１のカバー３１と第２のカバー３２とが連結される。この際、ハンディターミナル３の全体が第１のカバー３１と第２のカバー３２とで覆われ、ハンディターミナル３の第２の構成体１２の開閉動作が規制される。
【００２７】
次に、本実施形態に係る通信装置３０の作用について説明する。
【００２８】
店員は、ハンディターミナル３を用いてオーダーを行う。この際、ハンディターミナル３のアプリケーションは、店員用注文モードに設定されている。まず店員は、電源スイッチ２１を押すことにより、ハンディターミナル３の電源を入れる。そして、ハンディターミナル３に客の注文データを入力し、無線通信ユニット４に送信する。無線通信ユニット４に送信された注文データは、通信回線８を介して、キッチンプリンタ５と、ＰＯＳ端末６とに送られる。
【００２９】
また、店内のそれぞれの卓１００上には、第２の構成体１２が第１の構成体１１に対して開いた状態のハンディターミナル３に第１のカバー３１と第２のカバー３２とを取り付けて形成される通信装置３０が、配置されている。この際、ハンディターミナル３のアプリケーションは客用注文モードに設定されている。まず、客は、通信装置３０のハンディターミナル３の表示部１５をタッチすることにより、ハンディターミナル３の電源を入れる。そして客は、ハンディターミナル３に注文データを入力し、無線通信ユニット４に送信する。無線通信ユニット４に送信された注文データは、店員用通信モードの場合と同様に、通信回線８を介して、キッチンプリンタ５と、ＰＯＳ端末６とに送られる。客が使用していない際には、ハンディターミナル３の電源が自動的に切れる。
【００３０】
店員用注文モードと客用注文モードとの間でのハンディターミナル３のアプリケーションの切り替えは、例えば予め設定されたいずれかの切替えボタンを押す等の操作ボタンユニット１６を操作することにより、行われる。操作ボタンユニット１６での入力は、ボタン操作検出手段７１で検出され、コントローラ７０に送られる。ボタン操作検出手段７１からの入力に基づいて、コントローラ７０はアプリケーション切替え手段７３にアプリケーション切替え命令を送る。コントローラ７０からの命令に基づいて、アプリケーション切替え手段７３はハンディターミナル３のアプリケーションを切り替える。ハンディターミナル３のオーダーモードが切り替わることにより、表示部１５の表示内容が切り替わる。
【００３１】
また、少なくとも客用注文モードでは、例えば無線通信ユニット４にデータ送信指令を行う表示部１５の送信ボタンが押されていない等、ハンディターミナル３のエラー状態が、表示部操作検出手段７７により検出され、コントローラ７０に送られる。コントローラ７０は、表示部操作検出手段７７からの入力に基づいて、ＬＥＤ点灯命令をＬＥＤ点灯手段７５に送る。これにより、ＬＥＤ２３が点灯する。この際、客は、通信装置３０の第１のカバー３１に設けられるＬＥＤ用切欠き部４５から、ＬＥＤ２３の点灯を確認可能となっている。これにより、客は、ハンディターミナル３のエラー状態を確認する。
【００３２】
また、ハンディターミナル３に第１のカバー３１と第２のカバー３２とを取り付けた状態でハンディターミナル３のバッテリー装着部２５のバッテリーを交換する際は、通信装置３０の第２のカバー３２のバッテリー交換用窓５５からバッテリーの交換を行う。
【００３３】
そこで上記構成の通信装置３０では、以下の効果を奏する。すなわち、通信装置３０は、客用注文モードに設定され、第２の構成体１２が第１の構成体１１に対して開いた状態のハンディターミナル３に、第１のカバー３１と第２のカバー３２とを取り付けて形成される。これにより通信装置３０に店員がオーダーを行うハンディターミナル３と同一の短端末が用いられるため、客が注文するための装置に別途に客用注文端末を製作する必要がなくなる。同時に、客用端末を卓上に設置する際の電源工事、ＬＡＮ工事の必要がなくなる。これにより、低コストで容易に客がオーダーを行うための通信装置３０を導入することができる。
【００３４】
また、通信装置３０は、ハンディターミナル３に第１のカバー３１と第２のカバー３２とを取り付けたものであるため、従来の客用注文端末に比べ小型化、軽量化が実現される。これにより、通信装置３０が配置される卓上で、店員が客に料理等を提供するスペースを確保することができる。
【００３５】
また、通信装置３０の第１のカバー３１には、表示部用窓４１と、操作ボタンユニット用窓４２とが設けられている。表示部用窓４１、操作ボタンユニット用窓４２は、ハンディターミナル３に第１のカバー３１と第２のカバー３２とを取り付けた際に、表示部１５、操作ボタンユニット１６と対応する位置に配置される。このため、客は通信装置３０のハンディターミナル３の表示部１５及び操作ボタンユニット１６を操作することによって、容易に注文データの入力、データの送信等を行うことができる。
【００３６】
また、店員用注文モードと客用注文モードとの間でのハンディターミナル３のアプリケーションの切り替えは、例えば予め設定されたいずれかの切替えボタンを押す等の操作ボタンユニット１６を操作することにより、行われる。このため、容易にハンディターミナル３のアプリケーションを切り替えることができる。
【００３７】
また、少なくとも客用注文モードでは、例えば無線通信ユニット４にデータ送信指令を行う表示部１５の送信ボタンが押されていない等、ハンディターミナル３のエラー状態を警告する際に、ＬＥＤ２３が点灯する。通信装置３０には、ハンディターミナル３に第１のカバー３１と第２のカバー３２とを取り付けた際に、ＬＥＤ２３と対応する位置に配置されるＬＥＤ用切欠き部４５が、第１のカバー３１に設けられている。このため、客は、ＬＥＤ用切欠き部４５からＬＥＤ２３の点灯を確認することができる。これにより、客が容易にハンディターミナル３のエラー状態を確認することができる。
【００３８】
また、通信装置３０には、ハンディターミナル３に第１のカバー３１と第２のカバー３２とを取り付けた際に、バッテリー装着部２５と対応する位置に配置されるバッテリー交換用窓５５が、第２のカバー３２に設けられている。このため、ハンディターミナル３に第１のカバー３１と第２のカバー３２とを取り付けた状態でも、ハンディターミナル３のバッテリー装着部２５のバッテリーをバッテリー交換用窓５５から容易に交換することができる。
【００３９】
さらに、客用注文モードでは、表示部１５をタッチすることにより、ハンディターミナル３の電源が入る。また、客が使用していない際には、ハンディターミナル３の電源が自動的に切れる。このため、ハンディターミナル３の省エネ化を実現することができる。
【００４０】
なお、ハンディターミナル３は、客用注文モードでは表示部１５をタッチすることにより電源が入る構成であるが、変形例として電源スイッチ２１を押すことにより電源が入る構成でもよい。この場合、図１０に示すように、第１のカバー３１と第２のカバー３２との境界部に電源スイッチ用孔６１が設けられる。電源スイッチ用孔６１は、ハンディターミナル３に第１のカバー３１と第２のカバー３２とを取り付けた際に、電源スイッチ２１と対応する位置に配置される。
【００４１】
また、表示部１５は、薄い透明のフィルム等で覆われていてもよい。これにより、表示部１５を直接タッチすることなく注文データの入力、データの送信等が可能であるため、表示部１５の汚れを防止することができる。
【００４２】
また、上述した実施形態では、ＬＥＤ２３は第１の構成体１１の表面１１Ａと図２で下側の側面１１Ｃとの境界部に設けられているが、例えば面１１Ａと反対側の裏面１１Ｄと側面１１Ｃとの境界部に設けられてもよい。この場合、ハンディターミナル３に第１のカバー３１と第２のカバー３２とを取り付けた際に、ＬＥＤ用切欠き部４５をＬＥＤ２３と対応する位置に配置するために、ＬＥＤ用切欠き部４５は第２のカバー３２に設けられる。すなわち、ＬＥＤ用切欠き部４５は、ＬＥＤ２３の位置に対応して、第１のカバー３１ではなく、第２のカバー３２又は第１のカバー３１と第２のカバー３２との境界部に設けられることもある。バッテリー交換用窓５５、電源スイッチ用孔６１についても、ＬＥＤ用切欠き部４５と同様である。すなわち、バッテリー交換用窓５５は、バッテリー装着部２５の位置に対応して、第２のカバー３２ではなく、第１のカバー３１又は第１のカバー３１と第２のカバー３２との境界部に設けられることもある。同様に、電源スイッチ用孔６１は、電源スイッチ２１の位置に対応して、第１のカバー３１と第２のカバー３２との境界部ではなく、第１のカバー３１又は第２のカバー３２に設けられることもある。
【００４３】
また、上記実施形態では、ハンディターミナル３のエラー状態を確認するための警告手段としてＬＥＤが用いられているが、ブザー等のその他の手段を用いてもよい。
【００４４】
また、上記実施形態では、操作ボタンユニット１６の操作を行うことによりハンディターミナル３のアプリケーションが切り替えられるが、表示部１５の操作を行うことによりアプリケーションが切り替えられる構成であってもよい。この場合、表示部操作検出手段７７からの入力に基づいて、コントローラ７０はアプリケーション切替え手段７３にアプリケーション切替え命令を送る。同様に、無線通信ユニット４にデータ送信指令を行う送信ボタンが表示部１５ではなく、操作ボタンユニット１６に設けられてもよい。
【００４５】
さらに、上記実施形態では、ねじ５９の雄ねじ部（図示しない）がねじ穴４６と螺合することにより、第１のカバー３１と第２のカバー３２とが連結されるが、例えば第１のカバー３１と第２のカバー３２との嵌合部を設ける等して、第１のカバー３１と第２のカバー３２とを連結してもよい。
【００４６】
以上、本発明の実施形態について説明したが、本発明は上記の実施形態に限定されるものではなく、本発明の要旨を逸脱しない範囲で種々の変形ができることは勿論である。
【符号の説明】
【００４７】
３…ハンディターミナル、  １１…第１の構成体、  １２…第２の構成体、  １５…表示部、  １６…操作ボタンユニット、  ２３…ＬＥＤ、  ２５…バッテリー装着部、  ３０…通信装置、  ３１…第１のカバー、  ３２…第２のカバー、  ４１…表示部用窓、  ４２…操作ボタンユニット用窓、  ４５…ＬＥＤ用切欠き部、  ５５…バッテリー交換用窓。
【図１Ａ】
0005473163.tif 000002
【図１Ｂ】
0005473163.tif 000003
【図２】
0005473163.tif 000004
【図３】
0005473163.tif 000005
【図４Ａ】
0005473163.tif 000006
【図４Ｂ】
0005473163.tif 000007
【図５】
0005473163.tif 000008
【図６】
0005473163.tif 000009
【図７】
0005473163.tif 000010
【図８】
0005473163.tif 000011
【図９】
0005473163.tif 000012
【図１０】
0005473163.tif 000013